(57)【要約】【課題】卓上プリンタとしてもハンドラベラとしても使用可能なプリンタの利便性を向上させる。【解決手段】プリンタは、ラベルに印字を行い発行するプリンタ本体と、プリンタ本体に着脱自在に取り付けられるグリップと、を備える。【選択図】図１
2019059113.tif 000002
【特許請求の範囲】
【請求項１】
ラベルに印字を行い発行するプリンタ本体と、
前記プリンタ本体に着脱自在に取り付けられるグリップと、
を備えるプリンタ。
【請求項２】
請求項１に記載のプリンタであって、
前記グリップは、操作されると前記プリンタ本体が前記ラベルを発行する第１スイッチを備える、
プリンタ。
【請求項３】
請求項１又は２に記載のプリンタであって、
前記プリンタ本体は、操作されると前記プリンタ本体が前記ラベルを発行する第２スイッチを備える、
プリンタ。
【請求項４】
請求項３に記載のプリンタであって、
前記第２スイッチは、前記グリップが前記プリンタ本体に取り付けられた状態では無効となる、
プリンタ。
【請求項５】
請求項１から４のいずれか１つに記載のプリンタであって、
前記グリップの内部にバッテリが設けられる、
プリンタ。
【請求項６】
請求項１から５のいずれか１つに記載のプリンタであって、
前記プリンタ本体は、外部電源が接続される外部接続ポートを備える、
プリンタ。
【発明の詳細な説明】
【技術分野】
【０００１】
本発明は、プリンタに関する。
【背景技術】
【０００２】
特許文献１には、架台に搭載することで卓上プリンタとしても使用可能な電子式ハンドラベラが開示されている。
【先行技術文献】
【特許文献】
【０００３】
【特許文献１】特開平６−４０４４７号公報
【発明の概要】
【発明が解決しようとする課題】
【０００４】
特許文献１に記載の構成では、卓上プリンタとして使用するためには架台が必要となる。よって、予め架台を設置した場所でしか卓上プリンタとして使用することができない。また、架台に搭載することでプリンタ全体のサイズが大きくなるので、設置場所が制限されることも問題となる。
【０００５】
本発明は、このような技術的課題に鑑みてなされたもので、卓上プリンタとしてもハンドラベラとしても使用可能なプリンタの利便性を向上させることを目的とする。
【課題を解決するための手段】
【０００６】
本発明のある態様によれば、ラベルに印字を行い発行するプリンタ本体と、前記プリンタ本体に着脱自在に取り付けられるグリップと、を備えるプリンタが提供される。
【発明の効果】
【０００７】
これによれば、プリンタ本体にグリップを取り付けた状態ではプリンタをハンドラベラとして使用でき、グリップを取り外した状態では卓上プリンタとして使用できる。よって、ハンドラベラと卓上プリンタとの切り換えを容易に行うことができる。また、グリップを取り外すだけで卓上プリンタとして使用できるので、卓上プリンタとして使用するために予め特段の準備をする必要がなく、グリップを取り外すことでプリンタがコンパクトになって設置場所の自由度も高くなる。よって、プリンタの利便性を向上させることができる。
【図面の簡単な説明】
【０００８】
【図１】本発明の実施形態に係るプリンタを示す模式図である。
【図２】プリンタからグリップを取り外した状態について説明するための図である。
【図３】交流電源ユニットについて説明するための図である。
【図４】プリンタの設置状態について説明するための図である。
【発明を実施するための形態】
【０００９】
以下、添付図面を参照しながら本発明の実施形態に係るプリンタ１００について説明する。
【００１０】
プリンタ１００は、感熱媒体であるラベルＬを熱して印字を行う感熱方式のプリンタとして構成される。プリンタ１００では、帯状の台紙Ｓに複数のラベルＬが間隔を置いて連続して仮着されたラベル連続体Ｍが印字媒体として用いられる。なお、印字媒体は、帯状の台紙Ｓに複数のラベルＬが間隔を置かずに連続して仮着されたラベル連続体や、台紙のない帯状のラベルであってもよい。
【００１１】
プリンタ１００は、図１に示すように、プリンタ本体１０と、プリンタ本体１０に取り付けられたグリップ３０と、を備える。
【００１２】
グリップ３０は、図２に示すように、プリンタ本体１０に対して着脱自在であり、グリップ３０が取り付けられた状態（図１参照）では、プリンタ１００は、ハンドラベラとして使用することができる。
【００１３】
プリンタ本体１０は、ハウジング１１と、ラベルＬに印字を行う印字ユニット１２と、ロール状のラベル連続体Ｍを保持する供給軸１３と、ラベルＬを台紙Ｓから剥離する剥離板１４と、ラベルＬが剥離された後の台紙Ｓを巻き取る巻取軸１５と、プリンタ１００の動作を制御するコントローラ１６と、を備える。
【００１４】
印字ユニット１２は、発熱素子を有するサーマルヘッド１７と、サーマルヘッド１７と対向して設けられたプラテンローラ１８と、で構成される。
【００１５】
ラベル連続体Ｍに仮着されたラベルＬがサーマルヘッド１７とプラテンローラ１８との間に挟持された状態でサーマルヘッド１７の発熱素子への通電が行われると、発熱素子の熱によってラベルＬが自己発色し、ラベルＬへの印字が行われる。
【００１６】
巻取軸１５及びプラテンローラ１８には、駆動モータ１９がギヤ、ベルト等を介して連結されている。駆動モータ１９により巻取軸１５が回転すると、台紙Ｓが巻取軸１５に巻き取られる。また、駆動モータ１９によりプラテンローラ１８が回転することで、サーマルヘッド１７とプラテンローラ１８とに挟持されたラベル連続体Ｍを搬送しつつラベルＬに印字を行うことができる。
【００１７】
また、巻取軸１５が台紙Ｓを巻き取ることで、剥離板１４の先端において台紙Ｓの搬送方向のみが転向されてラベルＬの端部が台紙Ｓから浮き上がる。これにより、ラベルＬが台紙Ｓから剥離され、ハウジング１１に設けられた発行口２０から発行される。なお、巻取軸１５を設けずに、剥離された台紙Ｓがプリンタ１００外に排出されるようにしてもよい。
【００１８】
ハウジング１１の発行口２０におけるラベルＬの印字面側には、貼付ローラ２１が設けられる。プリンタ１００をハンドラベラとして使用する際は、ユーザがグリップ３０を把持し、発行口２０から発行されたラベルＬを貼付ローラ２１で被着体に転圧することで、ラベルＬが被着体に貼付される。
【００１９】
コントローラ１６は、マイクロプロセッサ、ＲＯＭやＲＡＭ等の記憶装置、入出力インターフェース、これらを接続するバス等で構成される。コントローラ１６には、入出力インターフェースを介して、サーマルヘッド１７、駆動モータ１９、ラベル連続体Ｍの位置を検出する位置センサ（図示せず）、ハウジング１１に設けられた外部接続ポート２２等が接続される。外部接続ポート２２は、本実施形態では、ＵＳＢ（Ｕｎｉｖｅｒｓａｌ  Ｓｅｒｉａｌ  Ｂｕｓ）ポートである。
【００２０】
コントローラ１６は、記憶装置に格納されている各種プログラムをマイクロプロセッサによって実行し、サーマルヘッド１７、駆動モータ１９等の作動を制御する。
【００２１】
プリンタ１００は、外部接続ポート２２により外部のコンピュータ等と接続することで、印字データに関する情報等を入力することができる。なお、印字データに関する情報等は、例えば、プリンタ本体１０に操作部を設けて直接入力できるようにしてもよい。
【００２２】
また、プリンタ１００は、タブレット端末等と無線接続することで印字データに関する情報を入力できるようにしてもよい。さらに、プリンタ１００は、設定内容やエラー内容等の各種情報を表示するための表示部を備えてもよい。
【００２３】
グリップ３０には、プリンタ本体１０の各部に電力を供給するバッテリ３１が内蔵される。バッテリ３１はグリップ３０から取り外せるようになっており、交換可能である。
【００２４】
これにより、プリンタ本体１０にグリップ３０が取り付けられた状態では、プリンタ１００をハンドラベラとして使用することができる。
【００２５】
また、グリップ３０には、スイッチ３２（第１スイッチ）が設けられる。
【００２６】
スイッチ３２は、プリンタ本体１０にグリップ３０が取り付けられた状態で、入出力インターフェースを介してコントローラ１６と接続される。
【００２７】
ユーザがスイッチ３２を操作すると、操作信号がコントローラ１６に入力される。これにより、コントローラ１６は、サーマルヘッド１７及び駆動モータ１９を作動させてラベルＬを発行する。
【００２８】
また、プリンタ本体１０のハウジング１１には、スイッチ２３（第２スイッチ）及びスイッチ２４（第２スイッチ）が設けられる。スイッチ２３は、スイッチ３２と同様に、ラベルＬに印字を行い発行するためのスイッチである。
【００２９】
スイッチ２４は、ラベルＬに印字を行わずに発行するためのスイッチである。つまり、スイッチ２４が操作された場合は、コントローラ１６は、サーマルヘッド１７を作動させることなく駆動モータ１９のみを作動させて印字されていないラベルＬを発行する。
【００３０】
本実施形態では、スイッチ２３及びスイッチ２４は、図２に破線の矢印で示すように、プリンタ本体１０からグリップ３０が取り外された状態で有効となり、プリンタ本体１０にグリップ３０が取り付けられた状態（図１参照）では無効となる。
【００３１】
これによれば、プリンタ１００をハンドラベラとして使用する際に、スイッチ２３及びスイッチ２４を誤操作してしまうことを防止できる。
【００３２】
なお、スイッチ３２、スイッチ２３、及びスイッチ２４について、プリンタ本体１０にグリップ３０が取り付けらた状態でいずれを有効とし、プリンタ本体１０からグリップ３０が取り外された状態でいずれを有効とするかは、実際の使用状況に応じて適宜変更可能である。
【００３３】
プリンタ１００は、プリンタ本体１０からグリップ３０を取り外すことで、卓上プリンタとして使用し易い形態とすることができる。
【００３４】
上述したように、プリンタ１００は、グリップ３０にバッテリ３１が内蔵されている。このため、グリップ３０を取り外した状態では、別途電源が必要となる。
【００３５】
本実施形態では、外部接続ポート２２に外部電源を接続することで、プリンタ本体１０の各部に電力を供給することができるようになっている。上述したように、本実施形態の外部接続ポート２２はＵＳＢポートである。よって、図２に示すように、ＵＳＢケーブル２５を用いてＵＳＢ電源（図示せず）と接続することで、プリンタ本体１０を作動させることができる。
【００３６】
このように、プリンタ１００は、プリンタ本体１０にグリップ３０を取り付けた状態では、ハンドラベラとして使用することができ、グリップ３０を取り外した状態では、外部電源を接続することでプリンタ本体１０のみを卓上プリンタとして使用できる。
【００３７】
特に、本実施形態では、プリンタ本体１０からグリップ３０を取り外すだけで卓上プリンタとして使用し易い形態とすることができる。よって、プリンタ１００を卓上プリンタとして使用するために予め特段の準備をする必要がなく、グリップ３０を取り外すことでコンパクトになるので設置場所の自由度も高くできて利便性が高い。
【００３８】
なお、図３に示すように、プリンタ本体１０に電力を供給するための交流電源ユニット４０を設けても良い。
【００３９】
プリンタ本体１０にグリップ３０と交流電源ユニット４０とを両方接続することで、バッテリ３１を充電することができる。また、交流電源ユニット４０に直接グリップ３０を接続してバッテリ３１を充電することもできる。
【００４０】
また、本実施形態のプリンタ１００は、プリンタ本体１０のみを卓上プリンタとして使用する場合は、図４に示すように、排出口２０が上方に位置するように設置することができる。これによれば、排出口２０から排出されたラベルＬが床面に貼りつくことを防止できる。
【００４１】
以上述べたように、本実施形態のプリンタ１００は、ラベルＬに印字を行い発行するプリンタ本体１０と、プリンタ本体１０に着脱自在に取り付けられるグリップ３０と、を備える。
【００４２】
これによれば、プリンタ本体１０にグリップ３０を取り付けた状態ではプリンタ１００をハンドラベラとして使用でき、グリップ３０を取り外した状態ではプリンタ本体１０を卓上プリンタとして使用できる。よって、ハンドラベラと卓上プリンタとの切り換えを容易に行うことができる。また、プリンタ１００は、グリップ３０を取り外すだけで卓上プリンタとして使用できるので、卓上プリンタとして使用するために予め特段の準備をする必要がなく、グリップ３０を取り外すことでコンパクトになって設置場所の自由度も高くなる。よって、プリンタ１００の利便性を向上させることができる。
【００４３】
また、グリップ３０は、操作されるとプリンタ本体１０がラベルＬを発行するスイッチ３２を備える。これによれば、プリンタ１００をハンドラベラとして使用する際の操作性を向上させることができる。
【００４４】
また、プリンタ本体１０は、操作されるとプリンタ本体１０がラベルＬを発行するスイッチ２３及スイッチ２４を備える。これによれば、プリンタ１００を卓上プリンタとして使用する際の操作性を確保することができる。
【００４５】
また、スイッチ２３及びスイッチ２４は、グリップ３０がプリンタ本体１０に取り付けられた状態では無効となる。これによれば、プリンタ１００をハンドラベラとして使用する際に、スイッチ２３及びスイッチ２４を誤操作してしまうことを防止できる。
【００４６】
また、グリップ３０の内部にバッテリ３１が設けられる。これによれば、ハンドラベラとして使用する際の電力を確保しつつプリンタ本体１０を小型化でき、卓上プリンタとして使用する際の設置の自由度を向上させることができる。
【００４７】
また、プリンタ本体１０は、外部電源が接続される外部接続ポート２２を備える。これによれば、プリンタ１００を卓上プリンタとして使用する際の電力を確保できる。
【００４８】
以上、本発明の実施形態について説明したが、上記実施形態は本発明の適用例の一つを示したものに過ぎず、本発明の技術的範囲を上記実施形態の具体的構成に限定する趣旨ではない。
【符号の説明】
【００４９】
１００  プリンタ
１０    プリンタ本体
１１    ハウジング
１２    印字ユニット
１３    供給軸
１４    剥離板
１５    巻取軸
１６    コントローラ
１７    サーマルヘッド
１８    プラテンローラ
１９    駆動モータ
２０    発行口
２１    貼付ローラ
２２    外部接続ポート
２３    スイッチ（第２スイッチ）
２４    スイッチ（第２スイッチ）
２５    ＵＳＢケーブル
３０    グリップ
３１    バッテリ
３２    スイッチ（第１スイッチ）
４０    交流電源ユニット
Ｌ      ラベル
Ｍ      ラベル連続体
Ｓ      台紙
【図１】
2019059113.tif 000003
【図２】
2019059113.tif 000004
【図３】
2019059113.tif 000005
【図４】
2019059113.tif 000006